(57)【要約】【課題】      糸巻きに糸巻きベルトが取り付け易く、外し易い糸巻きベルトを提供することである。【解決手段】  糸巻きベルト１は、帯状のクロロプレ−ンゴム等のゴムやウレタン等の合成樹脂などの柔軟性と伸縮性を有する材料のベルト体２の両端２ａ、２ｂを合わせて熱溶着等で固定してリング状に形成された合わせ部２ｃの表裏をカバ−体３で挟んで固定し、カバ−体３の上につまみ４を固定し、カバ−体３の上方のつまみ４の部分に銘を記載した布等を固定している。  カバ−体３の上につまみ４を固定する時は、つまみ４の舌片部４ａがベルト体２やカバ−体３の側部に突出するように固定部４ａをカバ−体３の上に固定する。【選択図】        図１
2008086221.tif 000002
【特許請求の範囲】
【請求項１】
糸巻きの釣糸巻回部の外側にかぶせて釣糸のほどけを防止する糸巻きベルトにおいて、ベルト体につまみが設けられていることを特徴とする糸巻きベルト。
【請求項２】
糸巻きベルトはベルト体の両端を合わせてリング状に形成された合わせ部につまみを固定したことを特徴とする請求項１記載の糸巻きベルト。
【発明の詳細な説明】
【技術分野】
【０００１】
本発明は、糸巻きの釣糸巻回部の外側にかぶせて釣糸のほどけを防止する糸巻きベルトに関する。
【背景技術】
【０００２】
従来糸巻きの釣糸のほどけを防止するスプ−ルベルトとして特許文献１のように、糸巻き取り層上に周方向に一巻きを超えて巻き付けが可能なベルト本体の表裏に面ファスナ−を取り付けて巻き付け状態の拘束手段とし、ベルト本体の内側になる一端に糸止め部を設けている。
【特許文献１】特開２００１−２０４３１２号公報
【発明の開示】
【発明が解決しようとする課題】
【０００３】
解決しようとする問題点は、特許文献１のスプ−ルベルトではスプ−ルから取り外す時、ベルト本体を摘んで剥し難い。
【０００４】
本発明の目的は前記欠点に鑑み、糸巻きに糸巻きベルトが取り付け易く、外し易い糸巻きベルトを提供することである。
【課題を解決するための手段】
【０００５】
本発明の請求項１は、糸巻きの釣糸巻回部の外側にかぶせて釣糸のほどけを防止する糸巻きベルトにおいて、ベルト体につまみが設けられていることを要旨とするものである。
本発明の請求項２は、糸巻きベルトはベルト体の両端を合わせてリング状に形成された合わせ部につまみを固定したことを要旨とするものである。
【発明の効果】
【０００６】
本発明により、糸巻きベルトは糸巻きの釣糸巻回部からの取り外しが容易になる。
【発明を実施するための最良の形態】
【０００７】
糸巻きベルト１は、帯状のクロロプレ−ンゴム等のゴムやウレタン等の合成樹脂などの柔軟性と伸縮性を有する材料のベルト体２の両端２ａ、２ｂを合わせて熱溶着等で固定してリング状に形成された合わせ部２ｃの表裏をカバ−体３で挟んで固定し、カバ−体３の上につまみ４を固定し、カバ−体３の上方のつまみ４の部分に銘を記載した布等を固定している。
カバ−体３とつまみ４はクロロプレ−ンゴム等のゴムやウレタン等の合成樹脂などの柔軟性と伸縮性を有する材料で形成されている。
合わせ部２ｃの表裏にカバ−体３を固定することにより合わせ部２ｃの強度を向上させている。
カバ−体３の上につまみ４を固定する時は、つまみ４の舌片部４ａがベルト体２やカバ−体３の側部に突出するように固定部４ａをカバ−体３の上に固定する。
【実施例１】
【０００８】
以下、図示の実施例によって本発明を説明すると、図１から図４は第１実施例で、図１は糸巻きベルトの斜視図、図２は糸巻きベルトの分解斜視図、図３はスプ−ルに糸巻きベルトを装着した斜視図、図４はスプ−ルに糸巻きベルトを装着した側面図である。
【０００９】
糸巻きベルト１は、釣り用リ−ルのスプ−ルや釣糸や釣り用仕掛けを巻回、保持しておくための糸巻き等に取り付けて使用し、帯状のクロロプレ−ンゴム等のゴムやウレタン等の合成樹脂などの材料で、柔軟性と伸縮性を有する用に形成したベルト体２を有し、このベルト体２の両端２ａ、２ｂを合わせて熱溶着や接着や縫着等で固定してリング状に形成され、両端２ａ、２ｂを合わせて形成された合わせ部２ｃの表裏をカバ−体３で挟んで固定し、カバ−体３の上につまみ４を固定し、カバ−体３の上方のつまみ４の部分に銘を記載したベルト体２より硬質の材料からなる板材の銘板５を固定している。
カバ−体３とつまみ４はウレタン等の合成樹脂などのベルト体２よりも硬質の材料で形成されている。
合わせ部２ｃの表裏にカバ−体３を固定することにより合わせ部２ｃの強度を向上させている。
ベルト体２につまみ４を固定する時は、つまみ４の舌片部４ａがベルト体２の側部に突出するように固定部４ａをカバ−体３の上に固定し、つまみ４は、その舌片部４ａがカバ−体３を介してベルト体２の合わせ部２ｃにベルト体２の巻回方向と交差する方向に突出する。
【００１０】
糸巻きベルト１が釣り用スプ−ル６の釣糸巻回部６ａの外側にかぶせて巻き糸のほどけを防止する時は図３、図４のように図示しない巻き糸の外側にかぶせ、つまみ４の舌片部４ａがスプ−ル６の前側鍔部６ｂの縁部に載るようにかぶせると、つまみ４が釣糸巻回部６ａへの巻回方向と交差する方向に突出し、糸巻きベルト１の釣り用スプ−ル６からの取り外し方向に合致するため、つまみやすく、つまみ４の舌片部４ａを指で摘んでつまみ４の突出方向に引っ張ることで糸巻きベルト１の釣り用スプ−ル６からの取り外しが容易になる。
巻き糸の外側に糸巻きベルト１のベルト体２をかぶせるので、巻き糸の巻き終わりを気にすることはない。
【００１１】
前記のように糸巻きベルトが構成されると、糸巻きベルト１は柔軟性と伸縮性のあるベルト体２に側部に突出するようにつまみ４の舌片部４ａを設けたので、巻き糸の外側にかぶせる時かぶせ易く、舌片部４ａを指で摘んで引き出せば取り外しが容易になり、つまみ４をベルト体２の合わせ部２ｃに取り付けることで、合わせ部２ｃが強固に接合されて破損が防止され、また、合わせ部２ｃがつまみ４で覆われるため、外観も良好になる。
【実施例２】
【００１２】
図５は第２実施例で、図５は糸巻きベルトの斜視図である。
【００１３】
第２実施例で糸巻きベルト１は、帯状のクロロプレ−ンゴム等のゴムやウレタン等の合成樹脂などの柔軟性と伸縮性を有する材料のベルト体２の両端２ａ、２ｂを合わせて熱溶着等で固定してリング状に形成された合わせ部２ｃの表裏をカバ−体３で挟んで固定し、カバ−体３の上につまみ７が固定されている。
つまみ７は指で摘む舌片部７ａが二つ折りでカバ−体３の上に固定された固定部７ｂは舌片部７ａから外側に分かれている。
他の構成は前記第１実施例と略同一である。
【実施例３】
【００１４】
図６は第３実施例で、図６は糸巻きベルトの展開斜視図である。
【００１５】
第３実施例で糸巻きベルト１は、帯状のクロロプレ−ンゴム等のゴムやウレタン等の合成樹脂などの柔軟性と伸縮性を有する材料のベルト体２が形成されている。
ベルト体２の一方の端２ｄの下側にはつまみ４が固定され、他方の端を２ｅとする。
つまみ４がベルト体２に固定される時は舌片部４ａがベルト体２の側部に突出するように固定部４ａが固定される。
固定部４ａの下面には図示しない面ファスナ−が固定され、ベルト体２の図で表面の右側に面ファスナ−７が固定されている。
【００１６】
第３実施例で糸巻きベルト１が使用される時は、リング状ではなく帯状に形成されているため巻き糸の外側に糸巻きベルト１のベルト体２の他方の端２ｅが載せられて一方の端２ｄが一周を越えて巻回されて固定部４ａの下面の図示しない面ファスナ−が面ファスナ−８の上に載せられて係止され、糸巻きの釣糸巻回部の径が異なっても合致するように巻回できる。
【産業上の利用可能性】
【００１７】
前記説明の糸巻きベルトは釣り用スプ−ルの糸巻きや釣糸や釣り用仕掛けを巻回、保持しておくための糸巻きなど釣りに使用する糸巻き全般の巻き糸のほどけを防止することに利用できる。
【図面の簡単な説明】
【００１８】
【図１】第１実施例で、糸巻きベルトの斜視図である。
【図２】同糸巻きベルトの分解斜視図である。
【図３】同スプ−ルに糸巻きベルトを装着した斜視図である。
【図４】同スプ−ルに糸巻きベルトを装着した側面図である。
【図５】第２実施例で、糸巻きベルトの斜視図である。
【図６】第３実施例で、糸巻きベルトの展開斜視図である。
【符号の説明】
【００１９】
１  糸巻きベルト
２  ベルト体
２ｃ  合わせ部
４、７  つまみ
【図１】
2008086221.tif 000003
【図２】
2008086221.tif 000004
【図３】
2008086221.tif 000005
【図４】
2008086221.tif 000006
【図５】
2008086221.tif 000007
【図６】
2008086221.tif 000008